(57)【要約】モバイル無線通信デバイスのユーザが、交信リストにおける交信の優先順位のレベルを割り当てることを可能にするためのシステムおよび方法。現在進行中の通話の間（２０２、２０４、２０６）に、入電した高い優先順位の通話は、低い優先順位の通話とは異なるように対処され得る（２０８）。例えば、高い優先順位の通話は、交信をレビューする必要は一切なしに、自動的に応答され得る（２１０）。低い優先順位の通話は、現在進行中の高い優先順位の通話を中断する代わりに、応答サービスに直接的に自動送信され得る（２１８）。
2009508401.tif 000002
【特許請求の範囲】
【請求項１】
セル通信システムにおいて、現在進行中の通話の間の入電をふるい分ける方法であって、該方法は、
（ａ）入電識別子を受信することと、
（ｂ）入電者の識別を取得することと、
（ｃ）該入電者の識別に基づいて、入電者の優先順位を検索することと、
（ｄ）該入電者の優先順位が、現在進行中の通話者の優先順位よりも高いかどうかを決定することと、
（ｅ）ステップ（ｄ）においてなされた決定に応答する方法で、該入電に対処することと
を包含する、方法。
【請求項２】
ステップ（ｅ）は、
（ｆ）ステップ（ｄ）に応答して、現在進行中の通話を中断すること
をさらに含む、請求項１に記載の方法。
【請求項３】
（ｇ）ステップ（ａ）において、前記入電識別子を受信したセルラ通信ハンドセット上で、前記入電者の識別に対応するオーディオメッセージを再生すること
をさらに含む、請求項１に記載の方法。
【請求項４】
（ｈ）前記現在進行中の通話に対応する通話者に対し、中断通話オーディオメッセージを送信すること
をさらに含む、請求項１に記載の方法。
【請求項５】
ステップ（ｃ）は、
（ｉ）前記現在進行中の通話者の優先順位が予め選択されてはいないことを記録すること
をさらに含む、請求項１に記載の方法。
【請求項６】
ステップ（ｃ）は、
（ｊ）ステップ（ｉ）に応答して、前記現在進行中の通話者の優先順位に低い優先順位を割り当てること
をさらに含む、請求項４に記載の方法。
【請求項７】
（ｋ）ステップ（ｄ）に応答して、前記現在進行中の通話を保留すること
をさらに含む、請求項１に記載の方法。
【請求項８】
ステップ（ｅ）は、
（ｌ）ステップ（ｄ）に応答して、現在進行中の通話を継続すること
をさらに含む、請求項１に記載の方法。
【請求項９】
（ｍ）接続しない旨のオーディオメッセージを前記入電に対応する通話者に送信すること
をさらに含む、請求項８に記載の方法。
【請求項１０】
ステップ（ｃ）は、
（ｎ）前記入電者の優先順位が予め選択されてはいないことを記録すること
をさらに含む、請求項８に記載の方法。
【請求項１１】
ステップ（ｃ）は、
（ｏ）ステップ（ｎ）に応答して、前記入電者の優先順位に低い優先順位を割り当てること
をさらに含む、請求項１０に記載の方法。
【請求項１２】
モデムと、
該モデムに接続され、入電識別子を受信するように構成されたプロセッサであって、入電者の識別を取得し；該入電者の識別に基づいて、入電者の優先順位を検索し；該入電者の優先順位が現在進行中の通話者の優先順位よりも高いかどうかの決定をし；該決定に応答して、現在進行中の通話を中断する、プロセッサと、
該プロセッサに接続されたメモリであって、該メモリは優先順位リストを格納し、該優先順位リストは、該入電者の優先順位を含んでいる、メモリと
を備えている、モバイル無線通信デバイス。
【請求項１３】
前記プロセッサに接続されたスピーカであって、該プロセッサは、該スピーカ上で、前記入電者の識別に対応するオーディオメッセージを再生するようにさらに構成されている、スピーカ
をさらに含んでいる、請求項１２に記載のモバイル無線通信デバイス。
【請求項１４】
前記プロセッサは、前記モデムを介して、中断通話オーディオメッセージを前記現在進行中の通話に対応する通話者に送信するようにさらに構成されている、請求項１２に記載のモバイル無線通信デバイス。
【請求項１５】
前記プロセッサは、前記現在進行中の通話者の優先順位が予め選択されていないことを記録するようにさらに構成されている、請求項１２に記載のモバイル無線通信デバイス。
【請求項１６】
前記プロセッサは、前記現在進行中の通話者の優先順位が予め選択されていない場合に、該現在進行中の通話者の優先順位に低い優先順位を割り当てるようにさらに構成されている、請求項１５に記載のモバイル無線通信デバイス。
【請求項１７】
前記プロセッサは、前記現在進行中の通話を保留するようにさらに構成されている、請求項１２に記載のモバイル無線通信デバイス。
【発明の詳細な説明】
【技術分野】
【０００１】
（発明の分野）
本発明は、概して、無線通信に関し、より具体的には、無線通信における通話の優先順位付けのためのシステムおよび方法に関する。
【背景技術】
【０００２】
（発明の背景）
携帯型の通信デバイスは、急速に普及してきている。携帯型の電話、例えばセル電話、衛星電話、無線通信可能な個人用情報端末（ＰＤＡ）、ページャ、ならびに無線通信可能な携帯型のコンピューティングデバイス、例えばラップトップコンピュータは、例示的な携帯型の通信デバイスである。一体型の（スチールおよびビデオ）カメラを有するセル電話は、別の実施例である。
【０００３】
セル電話のユーザはよく、入電の受信時に、現在進行中の通話をしていることがある。典型的にはユーザに対し、周知の「通話待機（ｃａｌｌ  ｗａｉｔｉｎｇ）」アラート（短く、単一トーンの音）が再生される。典型的に「通話待機」アラートは、現在進行中の通話を一時的に中断する。典型的にはユーザに対し、入電者の識別（番号の識別または名前の識別）が、ディスプレイスクリーン上に表示される。誰が通話しているのかをユーザが知りたいと思う場合に、典型的にユーザは、ディスプレイスクリーンを見るために現在進行中の会話を一時的に停止し、入電に応答することによって現在進行中の通話をさらに中断するかどうかを決定しなければならない。
【０００４】
セル通信における通話者の間の自動的な優先順位付けは存在しない。セル電話のユーザは、入電者が、現在進行中の会話よりも、高いまたは低い優先順位を有しているかどうかを自動的に知ることができない。その結果、典型的にセル電話のユーザは、新しい通話が入ってきたときには、自らの会話を中断しなければならない。さらに、セル電話のユーザは、自らの交信の全ての優先順位のレベルを記憶しなければならない。またさらに、セル電話のユーザはよく、このユーザが低い優先順位の通話を無視したいと思ったときに、例えば通話待機音と共に、低い優先順位の通話によって、中断されることがあり得る。またさらに、セル電話のユーザは、このセル電話のユーザが不注意にも高い優先順位の入電に対して低い優先順位の入電のように対処し、通話待機音を無視した場合に、高い優先順位の通話を見逃し得る。
【発明の開示】
【課題を解決するための手段】
【０００５】
（発明の概要）
現在進行中の通話の間の入電に対処するための従来のアプローチに関連する問題を克服するために、モバイル無線通信デバイスのユーザが、交信リストにおける交信の優先順位のレベルを指定することを可能にする、システムおよび方法が提供される。現在進行中の通話の間に、入ってくる高い優先順位の通話は、低い優先順位の通話とは異なるように対処され得る。例えば、高い優先順位の通話は、交信をレビューする必要は一切なしに、自動的に応答され得る。低い優先順位の通話は、現在進行中の高い優先順位の通話を中断する代わりに、応答サービスに直接的に自動送信され得る。
【０００６】
有利なことに、高い優先順位の通話が見逃される頻度は、低くなる。また、低い優先順位の通話は、高い優先順位の通話をもはや中断しなくなる。
【０００７】
本発明のその他の局面、利点、および新規な特徴は、添付の図面と共に考えられたときに、以下の詳細な説明から理解され得る。
【発明を実施するための最良の形態】
【０００８】
本明細書において教示される本発明の好適な実施形態は、添付図面の図中では、例示目的で示されており、限定目的では示されていない。
【０００９】
（詳細な説明）
図１は、モバイル通信デバイスにおいて交信情報を格納するための電話帳データベース１０２のテーブル表現である。有利なことに、電話帳データベース１０２は、優先順位の列１０４を有している。優先順位の列１０４は、電話帳データベース１０２におけるエンティティの各々に対する優先順位１０６、１０８等を格納し得る。例えば、モバイル通信デバイスは、セル電話であり得る。以後、説明の便宜上、セル電話が、モバイル通信デバイスの引き合いとして用いられ得る。しかしながら、任意のモバイル通信デバイスが、用いられ得る。
【００１０】
電話帳データベース１０２は、交信の名前１１６を格納する。各交信に対し、番号１１８（典型的には電話番号）が格納される。電話帳データベース１０２はまた、音声タグ識別（Ｖ−ｔａｇ  ＩＤ）１２０を格納する。Ｖ−ｔａｇ  ＩＤは、各交信に関連付けられたオーディオファイルに対するタグまたは内部識別子である。例えば、セル電話のユーザは、ユーザ自身の声で交信の名前を録音し得る。例えば、第１の交信の名前がＪｏｈｎ１２２の場合、ユーザは、第１の交信として「Ｊｏｈｎ」を録音し得る。そしてＶ−ｔａｇ  ＩＤ１２５は、録音された音声「Ｊｏｈｎ」を用いて音声（オーディオ）ファイルを指定する内部フラグとなる。このようにして、電話帳データベース１０２は、名前１１６、番号１１８、Ｖ−ｔａｇ  ＩＤ１２０、および優先順位１０４を格納する。
【００１１】
録音された実際のオーディオファイル（例えば、音「Ｊｏｈｎ」）は、別のデータベース、すなわち音声データベース１３０に格納され、これは、図２に示されている。音声データベース１３０は、音声データ１３５（オーディオファイル）、ならびに音声データを識別するための適切な内部タグ１４０を格納する。内部タグは、任意の都合のよいタイプであり得る。例えば、内部タグは、認識可能ワード識別子（ＲＷＩＤ；ｒｅｃｏｇｎｉｚａｂｌｅ  ｗｏｒｄ  ｉｄｅｎｔｉｆｉｅｒ）であり得る。実際には、ＲＷＩＤまたはＶ−ｔａｇ  ＩＤとして、同じ内部タグが参照され得る。したがって、電話帳データベース１０２におけるＶ−ｔａｇ  ＩＤ１２０は、音声データベース１３０におけるＲＷＩＤ１４０として用いられ得る。音声データベース１３０はまた、例えば「名前を言ってください」のような音声プロンプト、音声メモ等を格納するために用いられ得る。音声オーディオファイルは、必ずしも特定の交信に関連付けられないので、ここにさらに記載される必要はない。
【００１２】
図３は、優先順位リスト１５０のテーブル表現である。優先順位リスト１５０は、電話帳データベース１０２からの名前１１６および優先順位１０４のみを示している。ユーザは、優先順位リスト１５０を用いることにより、電話帳データベース１０２における優先順位を設定およびレビューし得る。例えば、セル電話上のユーザインターフェースソフトウェアは、ユーザに対して、優先順位リスト（またはその一部分）を表示し得る。ユーザは、名前１１６によって、交信を選択し得、そして優先順位１０４を変更または追加し得る。オプションとして、ユーザはまた、ユーザの交信リストからの優先順位１０４を選択および変更し得る。交信リストは、ユーザの交信のうち少なくとも名前１１６および番号１１８を含んでいる、ユーザに対して表示されるリストである。交信リストはまた、優先順位１０４を含み得る。交信リストが優先順位１０４を含んでいる場合、優先順位リスト１５０は、依然として利用可能であり得るものの、必要とされないことがあり得る。
【００１３】
図４は、３つのモバイル通信デバイスを示すブロック図であり、現在進行中の通話の間の入電を示している。有利にも、現在進行中の通話者の優先順位および入電した通話者の優先順位は、自動的に比較され、セル電話は、適切に入電に対処する。セル電話Ａ  １５５は、セル電話Ｂ  １６０と通話中である。セル電話Ｂ  １６０は、実際には、プレーンオールドテレフォンサービス（ＰＯＴＳ）電話のような、任意の通話端末であり得る。簡略化のために、セル電話Ａ  １５５を無線ネットワークおよび公衆交換電話ネットワーク（ＰＳＴＮ）に接続しているネットワーク設備は、示されていない。また、セル電話Ｂ  １６０を無線ネットワークに接続しているネットワーク設備も、示されていない。無線ネットワークの一部の局面は、米国特許出願第１０／９０３，１７４号（２００４年７月３００日出願）；および米国特許出願第１１／１２５，５１７号（２００５年５月９日出願）に記載されており、これらは、参照により本明細書中に援用される。
【００１４】
セル電話Ａ  １５５は、セル電話Ｂ  １６０と通話中であり、セル電話Ａは、セル電話Ｃ  １６５から入電識別子を受信する。セル電話Ｃ  １６５は、セル電話Ｂ  １６０と同様に、実際には、セル電話Ａに対する通話を開始することが可能な任意のデバイスであり得る。入電識別子は、上記の米国特許出願第１０／９０３，１７４号に記載されているように、入電メッセージであったり、または任意の都合のよいタイプの入電識別子であったりし得る。典型的には、入電識別子は、例えば電話番号のような、セル電話Ｃ  １６５を識別する通話者識別子を有している。あるいは、セル電話Ａ  １５０は、入電識別子を受信した後に、通話者識別子を受信し得る。
【００１５】
セル電話Ａ  １５５が、通話者識別子、例えば電話番号を受信すると、セル電話Ａ  １５５は、セル電話Ａ  １５５の電話帳データベース１０２において、この通話者識別子を調べ、この通話者識別子が、セル電話Ａ  １５５の交信情報の中に（名前１１６または番号１１８のいずれかとして）掲載されているかどうかを確認する。セル電話Ａ  １５５が適合するものを発見した場合、セル電話Ａ  １５５は、通話者識別子に関連付けられた優先順位を（もしあれば）検索する。セル電話Ｃ  １６５の優先順位は、検索優先順位または入電者優先順位と称される。セル電話Ａ  １５５の電話帳データベース１０２において、セル電話Ｃ  １６５に対して適合するものが発見されなかった場合、セル電話Ａ  １５５は、セル電話Ｃの優先順位を最も低い優先順位として指定し得る。電話帳データベース１０２に示されているように、優先順位Ａ  １０６および１１０は、最も高い優先順位であり、優先順位Ｂ  １０８は、中間の優先順位であり、優先順位Ｃ  １１２は、最も低い優先順位であり、Ｎ／Ａ  １１４は、優先順位が指定されていないことを示している。上述のように、優先順位が指定されていないこと１１４は、最も低い優先順位Ｃ  １１２よりも低いとみなされ得る。このように、事実上、４つの優先順位のレベルＡ、Ｂ、Ｃ、および該当なし（ｎｏｎｅ）が存在し得、Ｃは２番目に低い優先順位であり、該当なしは実際の最も低い優先順位である。
【００１６】
セル電話Ａ  １５５はまた、セル電話Ｂ  １６０のユーザの優先順位を調べる。セル電話Ａ  １５５は、セル電話Ｂ  １６０と現在進行中の通話中なので、この優先順位は、現在進行中優先順位と称される。セル電話Ｂとの通話が開始されると、セル電話Ａ  １５５は、格納されたセル電話Ｂ  １６０を調べ得る。セル電話Ａ  １５５の電話帳データベース１０２において、セル電話Ｂ  １６０に対して利用可能な優先順位が存在しない場合、セル電話Ａは、セル電話Ｂ  １６０を最も低い優先順位を有しているものとして指定し得る。セル電話Ａは、検索した優先順位を、セル電話Ｂのユーザの現在進行中の優先順位と比較する。セル電話Ａは、入電者の優先順位が、現在進行中の通話者の優先順位よりも高いかどうかを決定する。セル電話Ａは、この決定に応答するような方法で、入電に対処する。
【００１７】
例えば、セル電話Ａ  １５５が、入電者の優先順位が現在進行中の優先順位よりも高いことを決定した場合に、セル電話Ａ  １５５は、自動的に（示されているように、セル電話Ｃ  １６５からの）入電に接続し得、あるいは少なくとも、セル電話Ａのユーザに対し、通話待機アラートを再生し得る。セル電話Ａ  １５５が、入電者の優先順位が現在進行中の優先順位よりも低いことを決定した場合に、セル電話Ａ  １５５は、現在進行中の（示されているように、セル電話Ｂ  １６０との）通話を中断せず、あるいは最も良くて、通話待機アラートを再生し得る。セル電話Ａ  １５５が、入電者の優先順位および現在進行中の優先順位が同じであることを決定した場合、オプションとして、現在進行中の通話は中断されない。しかしながら、入電者の優先順位および現在進行中の優先順位が同じである場合、オプションとして、入電に接続される。さらに別のオプションとして、入電者の優先順位および現在進行中の優先順位が同じである場合、セル電話Ａ  １５５は、ユーザに対し、通話待機アラートを再生し得る。基本的に、現在進行中の通話および入電の相対的な優先順位に依存して、入電識別子に対するセル電話Ａ  １５５の応答は、異なったものとなる。
【００１８】
図５は、現在進行中の通話および入電の相対的な優先順位に依存して、異なるように入電に対処する、モバイル通信デバイス（例えば、セル電話Ａ  １５５）を示すブロック図である。プロセッサ１７０は、セル電話Ａ  １５５に制御機能を提供する。プロセッサ１７０は、ユーザインターフェース（以下に記載される）および無線通信を制御する。プロセッサ１７０は、メモリ１７２に接続されている。メモリ１７２は、電話帳データベース１０２および音声データベース１３０を格納する。したがって、優先順位１０４を調べるセル電話Ａ  １５５を概して記載していた上述の言及は、メモリ１７２に格納されたデータベース１０２において優先順位を調べるプロセッサ１７０にも及ぶ。
【００１９】
プロセッサ１７０は、プロセッサ１７０に電力供給するために、モバイル電源１７４に接続されている。典型的に電源１７４は、バッテリーである。しかしながら、将来においては、その他のモバイル電源、例えば、燃料電池またはソーラーパワー変換器によって、モバイル無線通信デバイスに電力供給することが可能になり得る。
【００２０】
プロセッサ１７０はまた、モデム１７６に接続されている。モデム（ｍｏｄｅｍ）は、変調器（ｍｏｄｕｌａｔｏｒ）／復調器（ｄｅｍｏｄｕｌａｔｏｒ）の略である。モデム１７６は、信号（例えば、音声信号）が無線を介して送信され、受信されるように、信号を変調および復調する。例えば、モデム１７６は、ＩＳ−２０００、ＴＩＡ／ＥＩＡ  ＩＳ−２０００に準拠する、符号分割多重アクセス（ＣＤＭＡ）モデムであり得る。別の実施例として、モデム１７６は、第３世代パートナーシッププロジェクト（３ＧＰＰ）（フランス、ソフィアアンチポリス）によって提供された、グローバルシステムフォーモバイルコミュニケーション（ＧＳＭ）標準のうちの１つに準拠する、ＧＳＭモデムであり得る。任意の都合のよいタイプのモデムが用いられ得る。さらに、ベースバンドモデムと無線周波数または中間周波数モデムとの間の区別は、本明細書においてはなされない。変調された信号が、無線を介して送信されるということが、最も重要である。モデム１７６は、部分的に（そしておそらくは将来においては完全に）プロセッサ１７０と合体されることさえあり得る。モデム１７６は、アンテナ１７８に接続されており、このアンテナは、無線を介して信号を送信し、無線を介して信号を受信する。
【００２１】
プロセッサ１７０はまた、入力／出力（ＩＯ）インターフェース１８０に接続されている。ＩＯインターフェース１８０は、プロセッサ１７０に対して様々なユーザインターフェース（ＵＩ）デバイスが利用可能となるように、プロセッサとインターフェースをとる。１つのＵＩデバイスは、スピーカ１８２である。スピーカ１８２は、上述のように、ユーザに対して通話待機アラートを再生するために用いられる。また、スピーカ１８２は、オーディオ信号（音声のようなサウンド）をユーザの耳に送信する。その他のＵＩデバイス１８４は、汎用ＵＩデバイス１８４として示されている。その他のＵＩデバイス１８４は、マイク、ディスプレイスクリーン、およびキーパッド（全て個別的に示されてはいない）を含む。
【００２２】
図６は、入電者の優先順位が現在進行中の通話者の優先順位よりも高いかどうかに依存して、現在進行中の通話の間の入電に異なるように対処するための方法を示すフローチャートである。方法は、ステップ２０２において開始し、ここでは、入電識別子が受信される。現在進行中の通話は、既に進行中であると仮定されている。簡略化のために、フローチャートは、入電識別子が受信されたときに開始する。ステップ２０４において、入電者の識別が取得される。ステップ２０６において、入電者の優先順位が検索される。識別を取得することができなかった場合、利用可能な優先順位は存在しないとみなされ、検索された入電者の優先順位は、最も低い優先順位であるとみなされ得る。さらに、入電者の識別が取得されたものの、優先順位が一切指定されていなかった場合でさえも、検索された入電者の優先順位は、最も低い優先順位であるとみなされ得る。
【００２３】
ステップ２０８において、入電者の優先順位が、現在進行中の通話者の優先順位よりも高いかどうかが決定される。ステップ２０８において、入電者の優先順位が、現在進行中の通話者の優先順位よりも高いことが決定された場合、ステップ２１０に示されているように、現在進行中の通話は中断される。通話交換アラートが、セル電話Ａ  １５５において生成される。通話交換アラートは、オーディオトーンであり得、あるいはオーディオメッセージが、セル電話Ａ  １５５のユーザに対して再生され、新しい通話が接続されたことを通知し得る。オーディオメッセージは、特定の交信に「接続してください」と述べ得る。例えば、オーディオメッセージは、Ｊｏｈｎが最も高い優先順位の通話に対応する交信である場合に、「Ｊｏｈｎに接続してください」であり得る。メッセージ「接続してください」の部分は、音声データベース１３０に格納された特定のオーディオファイルであり得る。メッセージ「Ｊｏｈｎ」の部分は、音声データベース１３０に格納された別のオーディオファイルであり得る。
【００２４】
ステップ２１２において、現在進行中の通話は、保留される。ステップ２１４において、保留メッセージは、現在進行中の通話者に送信される。例えば、保留メッセージは、セル電話Ａ  １５５のユーザによって予め録音された、「保留してください。私は取らなければならない急ぎの電話があります。保留することができないならば、電話を切ってください。私はできるだけ早く電話し直します。」と述べるメッセージであり得る。
【００２５】
入電者の優先順位が、現在進行中の通話者の優先順位よりも高くない場合、ステップ２１６に示されているように、現在進行中の通話は維持される。入電者の優先順位が、現在進行中の通話者の優先順位と同じである場合、セル電話Ａ  １５５は、通話待機アラートを再生し得る。ステップ２１８において、入電者には、音声メールメッセージまたは音声プロンプトが送信される。音声メールメッセージは、ネットワークによって、またはセル電話Ａ  １５５によって、送信され得る。いずれの方法においても、入電者は、音声メールに転送され得る。
【００２６】
図６は、ステップ２１２およびステップ２１４を除去することにより、改変され得る。この場合、ステップ２１０において、現在進行中の通話の中断は、単なる通話待機アラートの再生であり得る。この場合、入電はさらに、入電者および現在進行中の通話者の相対的な優先順位に依存して、異なるように対処され得る。現在進行中の通話の間の全ての入電に対して通話待機アラートを再生する代わりに、通話待機アラートは、より高い優先順位の通話に対してのみ再生され得る。
【００２７】
あるいは、図６は、ステップ２１８を除去することにより、改変され得る。この場合、ステップ２１６において、現在進行中の通話は維持され得るが、通話待機アラートが再生され得る。この場合、入電はさらに、入電者および現在進行中の通話者の相対的な優先順位に依存して、異なるように対処され得る。現在進行中の通話の間の全ての入電に対して通話待機アラートを再生する代わりに、通話待機アラートは、より低い（または同じ）優先順位の通話に対してのみ再生され得、より高い優先順位の通話は、自動的に接続され得る。
【００２８】
さらに、本発明の実施形態および実装が示され記載されてきたが、さらなる多くの実施形態および実装が、本発明の範囲内にあることが理解されるべきである。したがって、本発明は、請求の範囲およびそれらの等価物を考慮することを除いては、限定されることはない。
【図面の簡単な説明】
【００２９】
【図１】図１は、電話帳データベースのテーブル表現である。
【図２】図２は、音声データベースのテーブル表現である。
【図３】図３は、優先順位リストのテーブル表現である。
【図４】図４は、３つのモバイル通信デバイスを示すブロック図であり、現在進行中の通話の間の入電を示している。
【図５】図５は、モバイル通信デバイスを示すブロック図である。
【図６】図６は、現在進行中の通話の間の入電の受信を示すフローチャートである。
【図１】
2009508401.tif 000003
【図２】
2009508401.tif 000004
【図３】
2009508401.tif 000005
【図４】
2009508401.tif 000006
【図５】
2009508401.tif 000007
【図６】
2009508401.tif 000008
【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
セル通信システムにおいて、現在進行中の通話の間の入電をふるい分ける方法であって、該方法は、
（ａ）入電識別子を受信することと、
（ｂ）入電者の識別を取得することと、
（ｃ）該入電者の識別に基づいて、入電者の優先順位を検索することと、
（ｄ）ステップ（ａ）において該入電識別子を受信した該セル通信システムのハンドセット上で、該入電者の識別に対応するオーディオメッセージを再生することと、
（ｅ）該入電者の優先順位が、現在進行中の通話者の優先順位よりも高いかどうかを決定することと、
（ｆ）ステップ（ｅ）においてなされた決定に応答する方法で、該入電に対処することと
を包含する、方法。
【請求項２】
ステップ（ｆ）は、
前記入電者の優先順位が高い場合に、前記現在進行中の通話を中断することと、
該現在進行中の通話に対応する通話者に中断通話オーディオメッセージを送信することと
を含む、請求項１に記載の方法。
【請求項３】
ステップ（ｃ）は、
前記現在進行中の通話者の優先順位が予め選択されてはいないことを記録することと、
該現在進行中の通話者の優先順位に低い優先順位を割り当てることと
をさらに含む、請求項１に記載の方法。
【請求項４】
ステップ（ｆ）は、
前記入電者の優先順位が低い場合に、前記現在進行中の通話を保留すること
を含む、請求項１に記載の方法。
【請求項５】
ステップ（ｅ）は、
前記入電者の優先順位が、低い優先順位および予め選択されていない優先順位のうちの１つである場合に、前記現在進行中の通話を継続することと、
接続しない旨のオーディオメッセージを前記入電に対応する通話者に送信することと
をさらに含む、請求項１に記載の方法。
【請求項６】
モデムと、
該モデムに接続され、入電識別子を受信するように構成されたプロセッサであって、入電者の識別を取得し、該入電者の識別に基づいて、入電者の優先順位を検索し、該入電者の優先順位が現在進行中の通話者の優先順位よりも高いかどうかの決定をし、該決定に応答して、現在進行中の通話を中断する、プロセッサと、
該プロセッサに接続されたスピーカであって、該プロセッサは、該スピーカ上で、該入電者の識別に対応するオーディオメッセージを再生するようにさらに構成されている、スピーカと、
該プロセッサに接続されたメモリであって、該メモリは優先順位リストを格納し、該優先順位リストは、該入電者の優先順位を含んでいる、メモリと
を備えている、モバイル無線通信デバイス。
【請求項７】
前記プロセッサは、前記モデムを介して、中断通話オーディオメッセージを前記現在進行中の通話に対応する通話者に送信するようにさらに構成されている、請求項６に記載のモバイル無線通信デバイス。
【請求項８】
前記プロセッサは、前記現在進行中の通話者の優先順位が予め選択されていないことを記録するようにさらに構成されている、請求項６に記載のモバイル無線通信デバイス。
【請求項９】
前記プロセッサは、前記現在進行中の通話者の優先順位が予め選択されていない場合に、該現在進行中の通話者の優先順位に低い優先順位を割り当てるようにさらに構成されている、請求項８に記載のモバイル無線通信デバイス。
【請求項１０】
前記プロセッサは、前記現在進行中の通話を保留するようにさらに構成されている、請求項６に記載のモバイル無線通信デバイス。
【国際調査報告】
2009508401.tif 000009
2009508401.tif 000010